(57)【特許請求の範囲】
【請求項１】
口頸部７を起立した容器体２と、口頸部内周に周壁８を嵌合させて装着するとともに、周壁８下部より内方へ扱き片９を突設した扱き部材３と、上記口頸部７上端開口を閉塞して着脱可能に装着したキャップ12より扱き片９の中央窓孔10を摺動可能に挿通して容器体内に軸13を垂下するとともに、該軸13下端部に塗布部14を付設し、且つ、抜き出し時に扱き片９により塗布部14の余分な液を削ぎ落とす如く構成した塗布具４とを備え、上記扱き部材３内下端部に於ける軸13外周よりフランジ部17を突設するとともに、該フランジ部17直下の上記窓孔10に於ける軸13外周に圧力調整用の第１凹部18を設け、且つ、該第１凹部18下方の塗布部14との中間位置に於ける軸13外周に圧力調整用の第２凹部19を形成したことを特徴とする塗布容器。
【請求項２】
上記圧力調整用の第２凹部19が、周方向間隔をあけて複数設けた分離凹部19a の集合体である請求項１記載の塗布容器。
【発明の詳細な説明】
【０００１】
【発明の属する技術分野】
本発明は塗布容器に関する。
【０００２】
【従来の技術】
塗布容器として、マスカラ等の液を収納した容器体の口頸部に扱き部材を嵌着し、下端にブラシやスポンジ等の液を付着或いは吸収する塗布部を付設した塗布具を着脱自在に装着したものが知られている。
【０００３】
これらは、塗布具の軸を扱き部材のテーパ状の扱き片中央窓孔に挿通させて塗布部を容器体内下部に垂下させており、塗布部の径は扱き片中央窓孔の径より大きく構成している。そして、使用時に塗布具を抜き出す際に扱き片により塗布部に付着した余分な液を削ぎ落として、塗布対象となる部分への塗布の際に液だれの防止等を図る如く構成している。
【０００４】
【発明が解決しようとする課題】
従来のこの種容器では、抜き出した塗布具による塗布の後再び容器体に塗布具を装着する際に、未だ塗布具に残存する液が扱き片部分で逆に削ぎ落とされて扱き部材内にたまってしまう場合があった。従って、再び使用するために塗布具を抜き出す際に、扱き片で余分な液を一旦削ぎ落としたにも拘わらず扱き部材内に残存する液が塗布部に付着して再び余剰な液が塗布部に付着する結果となり、液だれ等の不都合を生じる虞があった。また、塗布部に液を均一に塗布する等の目的で、塗布具を抜き出さない状態で上下動させるという所謂ポンピング操作を行った場合に、従来品では液が飛び出してしまう不都合を生じる場合があった。
【０００５】
本発明は上記した点に鑑みなされたもので、塗布具の着脱の際に扱き部材内に液が溜まるのを極力防止でき、塗布時の液だれ或いは過剰な塗布の防止を図れるとともに、ポンピングの際の液の飛び出しを防止でき、その構造も極めて簡単であり、製造も容易な塗布容器を提案するものである。
【０００６】
【課題を解決するための手段】
第１の手段として、以下の通り構成した。即ち、口頸部７を起立した容器体２と、口頸部内周に周壁８を嵌合させて装着するとともに、周壁８下部より内方へ扱き片９を突設した扱き部材３と、上記口頸部７上端開口を閉塞して着脱可能に装着したキャップ12より扱き片９の中央窓孔10を摺動可能に挿通して容器体内に軸13を垂下するとともに、該軸13下端部に塗布部14を付設し、且つ、抜き出し時に扱き片９により塗布部14の余分な液を削ぎ落とす如く構成した塗布具４とを備え、上記扱き部材３内下端部に於ける軸13外周よりフランジ部17を突設するとともに、該フランジ部17直下の上記窓孔10に於ける軸13外周に圧力調整用の第１凹部18を設け、且つ、該第１凹部18下方の塗布部14との中間位置に於ける軸13外周に圧力調整用の第２凹部19を形成した。
【０００７】
第２の手段として、以下の通り構成した。即ち、前記第１の手段に於いて、上記圧力調整用の第２凹部19が、周方向間隔をあけて複数設けた分離凹部19a の集合体である如く構成した。
【０００８】
【発明の実施の形態】
以下、本発明の実施の形態を図面を参照して説明する。
【０００９】
本発明の塗布容器１は、容器体２と、扱き部材３と、塗布具４とを備えている。
【００１０】
容器体２は合成樹脂を使用して公知の成形方法により形成されたもので、液を収納する筒状の胴部５上端より肩部６を介して口頸部７を起立して構成している。胴部５は装着する塗布具４への液の付着効率を考慮して縦長なものが好ましく採用される。
【００１１】
扱き部材３は、同様に合成樹脂により形成され、上記口頸部７内周に周壁８を嵌着して装着するとともに、周壁８下端縁より内方へ扱き片９を突設し、その中央部に塗布具４の後述する軸を挿通させるための窓孔10を有している。また、周壁８上端部からは口頸部７上面に当接係止させるフランジ11を延設している。上記扱き片９は図示例の如く内方へ下るテーパ状が好ましく採用できるが、これに限られず、塗布具４の後述する塗布部が通過する際に液を削ぎ落とすことができる環状のものであれば良い。
【００１２】
塗布具４は、上記口頸部７上端開口を閉塞して着脱可能に嵌合させたキャップ12より上記窓孔10に摺動可能に挿通して容器体２内に軸13を垂下するとともに、該軸13下端部に塗布部14を付設している。上記キャップ12は、容器体口頸部７外周に螺着あるいは突条相互の係合等により係止可能に嵌合させた周壁15上端縁より中空二層構造の頂壁16を延設した下端開口の筒状をなし、頂壁16下面により口頸部７上端開口を閉塞している。また、塗布部14は、化粧ブラシやスポンジ等の液を付着或いは吸着させることができるもので、上記扱き片９の窓孔10より径が大きく、狭い窓孔10を弾性変形して挿通可能な形態のものが採用される。そして、抜き出し時に扱き片９により塗布部14の余分な液を削ぎ落とす如く構成している。尚、塗布具４も合成樹脂等により形成することができる。
【００１３】
本発明では、上記の如き塗布容器に於いて、上記扱き部材３内下端部に於ける軸13外周より周囲に通気用の隙間をあけたフランジ部17を突設するとともに、該フランジ部17直下の上記窓孔10位置に於ける軸13外周に圧力調整用の第１凹部18を設け、また、該第１凹部18下方の塗布部14との中間位置に於ける軸13外周に圧力調整用の第２凹部19を設けている。
【００１４】
上記第１凹部18及び第２凹部19は、軸13外周に設けた環状の凹部を採用できるが、第２凹部19に関しては、図１に示す如く、周方向間隔をあけて複数設けた分離凹部19a の集合体として構成すると扱き片９の通過をなめらかに行える。この様な第２凹部19の具体的構成として、その部分の軸を横断面十字状等の放射板状に構成することにより形成できるが、これに限らず、上記要件満たせば種々採用できる。
【００１５】
上記の如く構成した塗布容器１は、容器体２に塗布具４を装着した状態（図２(a) ）からキャップ周壁15の螺合を外す等しつつ塗布具４を引き上げると、第１凹部18及び第２凹部19間の軸13外周が扱き片９内周面を摺動上昇し、この際容器体２内が減圧状態となる（図２(b) ）。次いで扱き片９の窓孔10部分に第２凹部19が差し掛かった時点で扱き部材３内と容器体２内が連通するため減圧状態が解除され、この際残液が扱き部材３内下端部に存在している場合には、その一部或いは全部が容器体２内へ吸入される（図２(c) ）。
【００１６】
次いで再び軸13外周が扱き片９内周面に摺動上昇して気密性を保つため容器体２内は再び減圧状態となり（図２(d) ）、塗布部14上端が窓孔10部分に差し掛かった時点で再び扱き部材３内と容器体２内とが連通して容器体２内の減圧状態が解消されるとともに、扱き部材３内に液が残存している場合には容器体２内へ吸い込まれる（図２(e) ）。従って、塗布部14が扱き片９を通過する時点では扱き部材３内の液は略からの状態となり、扱き片９を通過した塗布部14に余分な液付着を防止する。
【００１７】
また、取り外した塗布具４により塗布対象部分に塗布を行った後再び容器体２に装着する際には、塗布部14が上記窓孔10を通って容器体２内に押し込まれた際に塗布部14にいまだ付着していた液が扱き片９により削ぎ取られて扱き部材３内に溜まり（図３(a) ）、また、容器体２内は加圧状態となる。次いで第２凹部19部分が窓孔10部分に差し掛かると、容器体２内と扱き部材３内とが連通して加圧状態が解除され（図３(b) ）、その後窓孔10部分を第２凹部19が通過する際に扱き部材３内の液の一部が容器体２内へ圧入される（図３(c) ）。
【００１８】
次いで再び軸13外周が扱き片９内周面に摺動下降して容器体２内は加圧状態となり（図３(d) ）、次いで第１凹部18が窓孔10部分に到達した際に再び容器体２内と扱き部材３内とが連通して加圧状態が解消され、その際フランジ部17が扱き部材３内の液を容器体２内に押し込んで（図３(e) ）装着を終了する。従って、扱き部材３内には残液があっても少量となる。
【００１９】
【発明の効果】
以上説明した如く本発明の塗布容器は、既述構成としたことにより、塗布具４を引き出す際に扱き部材３内の液を容器体２内に戻し、塗布部14が扱き片９を通過して余分な液を削ぎ落とした後再び余分な液が付着する等の不都合を防止できるものである。また、ポンピングの際の液の飛び出しを極力防止でき、しかも構造は従来品と比較して軸13にフランジ部や凹部を形成するだけでよいため簡単であり、製造上の煩雑さを増加する等の不都合もなく、容易に製造できる利点もある。
【００２０】
第２の手段では、扱き片９部分を通過する第２凹部19が扱き片９部分を通過する際に扱き片９が凹部内に嵌入して一々手に違和感を生じる等の不都合がなく、円滑に摺動できて使用者に不快感を与えずに、また、不良品との誤解を生じることもなく、商品価値を増大するという利点を兼ね備えている。
【図面の簡単な説明】
【図１】本発明の一実施例を示す縦断面図である。
【図２】同実施例の塗布具を容器体から引き出す際の作用を説明する説明図である。
【図３】同実施例の塗布具を容器体に装着する際の作用を説明する説明図である。
【符号の説明】
２…容器体、３…扱き部材、４…塗布具，８…扱き部材周壁，９…扱き片，
10…窓孔，12…キャップ，13…軸，14…塗布部，17…フランジ部，
18…第１凹部，19…第２凹部，19a …分離凹部
【図１】
0004183977.tif 000002
【図２】
0004183977.tif 000003
【図３】
0004183977.tif 000004